(57)【要約】【課題】  短時間で排水を行うことができ、地面等に容易に設置することのできる簡易組立式プールの排水口構造を提供すること。【解決手段】  プール本体１０の底面部１３ａにおける側面部１３ｂ近傍に排水口１９を設けた。そして、底面部１３ａの下面に凹部２７を設け凹部２７における排水口１９の下端部に排水受け部３１を取り付けた。そして、排水受け部３１の側面から排水管３７ａ等を延ばし、内側面部１３ｃと外側面部１３ｄの間に配置した。さらに、排水受け部３１の高さを、排水管３７ａ等の外径よりも短く設定した。また、排水管３７ａ等に開閉バルブ３８ａ等を設け、外側面部１３ｄにおける開閉バルブ３８ａ等に対応する部分に扉部１８を設けた。また、側面部１３ｄにオーバーフロー用排水口１９ａを設け、オーバーフロー用排水口１９ａと排水管３７ａとを連通させた。【選択図】  図８
2005068955.tif 000002
【特許請求の範囲】
【請求項１】
底面部と側面部とからなるプール本体の前記底面部における前記側面部の近傍に設けられた排水口と、
前記底面部の下面における前記排水口の下端部に取り付けられた箱状の排水受け部と、
前記排水受け部の側面から略水平方向に延びる排水管と
を備えたことを特徴とする簡易組立式プールの排水口構造。
【請求項２】
前記排水管を前記プール本体の側面部に沿って設けた請求項１に記載の簡易組立式プールの排水口構造。
【請求項３】
前記排水管を前記排水受け部から複数個延設した請求項１または２に記載の簡易組立式プールの排水口構造。
【請求項４】
前記排水受け部の高さ方向の長さを、前記排水管の外径の長さよりも短く設定し、前記排水受け部の上面が前記排水管の上端部よりも低い位置に位置するようにした請求項１ないし３のうちのいずれか一つに記載の簡易組立式プールの排水口構造。
【請求項５】
前記底面部の下面に凹部を形成し、この凹部に前記排水受け部を取り付けた請求項１ないし４のうちのいずれか一つに記載の簡易組立式プールの排水口構造。
【請求項６】
前記排水受け部における前記排水管が接続される側端部を前記プール本体の側面部よりも外側に延ばした請求項１ないし５のうちのいずれか一つに記載の簡易組立式プールの排水口構造。
【請求項７】
前記側面部を内側面部と外側面部とで構成し、前記内側面部と前記外側面部との間に空間部を形成するとともに、前記空間部に前記排水管を設置した請求項１ないし６のうちのいずれか一つに記載の簡易組立式プールの排水口構造。
【請求項８】
前記排水受け部における前記排水管が接続される側端部を前記内側面部と前記外側面部との間に形成された空間部内まで延ばした請求項７に記載の簡易組立式プールの排水口構造。
【請求項９】
前記排水管の所定部分に排水操作を行うための開閉バルブを設け、前記外側面部における前記開閉バルブに対応する部分に開閉が可能な扉部を設けた請求項７または８に記載の簡易組立式プールの排水口構造。
【請求項１０】
前記側面部における所定部分にオーバーフロー用排水口を設け、前記オーバーフロー用排水口と前記排水管とを連通させた請求項１ないし９のうちのいずれか一つに記載の簡易組立式プールの排水口構造。
【発明の詳細な説明】
【技術分野】
【０００１】
本発明は、簡易組立式プール内の水を排水するための簡易組立式プールの排水口構造に関する。
【背景技術】
【０００２】
従来から、グラウンドや屋上などの所定の場所に、各部分からなるユニットを組み付けることによって設置される簡易組立式プールがある。このような簡易組立式プールの底部には、使用後に、簡易組立式プール内の水を外部に排水するための排水口が設けられており、その排水口には開閉バルブを備えた排水管が接続されている。したがって、開閉バルブを開けると、簡易組立式プール内の水は、排水口から排水管を介して外部の排水溝等に流れて行く（例えば、特許文献１）。
【０００３】
この排水口と排水管とを備えた排水口構造は、排水口の下端部に、下方に向って延びる排水管を接続して構成されている。また、側面部には、オーバーフロー用排水口が設けられ、このオーバーフロー用排水口と排水管とが連通している。しかしながら、このような簡易組立式プールを、例えば、整地されたグラウンドの上や屋上の床面に設置しようとすると、簡易組立式プールの底面には下方に向って延びる排水管が設けられているため、簡易組立式プールを高い台等の上面に設置する必要が生じる。このため、グラウンドや屋上に設置される簡易組立式プールの排水口は、側面部の下端部に設けられ、その排水口から排水管を水平方向に延ばしている。
【特許文献１】実開平６−４３０７１号公報
【発明の開示】
【０００４】
しかしながら、従来の簡易組立式プールのように、排水口を側面部の下端部に設け、排水管を排水口から水平方向に延ばすと、排水に長時間を要するという問題が生じる。すなわち、簡易組立式プールに多量の水が入っている状態では、高水圧により勢いよく排水されるが、水位が下がるにしたがって排水速度も下がっていく。そして、水位が排水口の上端に達したときから排水口の下端に達するまでの間には排水速度は極端に遅くなる。また、排水されずに、一部の水が簡易組立式プールの底部に残ってしまうこともある。
したがって、本発明の目的は、短時間で排水を行うことができ、地面等に容易に設置することのできる簡易組立式プールの排水口構造を提供することである。
【０００５】
上記の目的を達成するため、本発明にかかる簡易組立式プールの排水口構造の構成上の特徴は、底面部と側面部とからなるプール本体の底面部における側面部の近傍に設けられた排水口と、底面部の下面における排水口の下端部に取り付けられた箱状の排水受け部と、排水受け部の側面から略水平方向に延びる排水管とを備えたことにある。
【０００６】
前記のように構成した本発明の簡易組立式プールの排水口構造では、プール本体の底面部に排水口を設けているためプール本体内の水位が下がっても勢いよく排水することができる。また、排水口の下端部に箱状の排水受け部を設けているため、排水口の面積を大きくすることができる。これによって、簡易組立式プール内の水を短時間で排水することができる。また、排水管が排水受け部の側面から略水平方向に延びているため、簡易組立式プールの設置時に排水管が邪魔になることがない。したがって、簡易組立式プールの底面の高さを排水受け部の高さ以上に高くする必要がなく、簡易組立式プールの設置が容易になる。
【０００７】
また、本発明にかかる簡易組立式プールの排水口構造の他の構成上の特徴は、排水管をプール本体の側面部に沿って設けたことにある。これによると、排水管がプール本体から突出することがなくなり、簡易組立式プールがコンパクトになる。
【０００８】
また、本発明にかかる簡易組立式プールの排水口構造のさらに他の構成上の特徴は、排水管を排水受け部から複数個延設したことにある。これによると、排水管の外径（高さ）を大きくすることなく効果的な排水が行える。
【０００９】
また、本発明にかかる簡易組立式プールの排水口構造のさらに他の構成上の特徴は、排水受け部の高さ方向の長さを、排水管の外径の長さよりも短く設定し、排水受け部の上面が排水管の上端部よりも低い位置に位置するようにしたことにある。この場合、排水管を側面部に沿わせた状態で設置するとともに、排水受け部を高さが低く面積の大きな箱状体で構成することにより、簡易組立式プールの底面位置の高さを低くすることができる。これによって、簡易組立式プールの設置が容易になる。
【００１０】
また、本発明にかかる簡易組立式プールの排水口構造のさらに他の構成上の特徴は、底面部の下面に凹部を形成し、この凹部に排水受け部を取り付けたことにある。この場合、排水受け部が底面から突出することがなくなる。これによって、簡易組立式プールの設置が極めて容易になる。また、この場合も簡易組立式プールの内部側底面は、排水受け部の上端部よりも上方に位置するようにする。
【００１１】
また、本発明にかかる簡易組立式プールの排水口構造のさらに他の構成上の特徴は、排水受け部における排水管が接続される側端部をプール本体の側面部よりも外側に延ばしたことにある。これによると、排水受け部の高さ方向の長さを、排水管の外径の長さよりも短く設定した場合でも、簡易組立式プールの底面位置の高さを高くすることなく、排水受け部の上面を排水管の上端部よりも低い位置に位置させることができる。
【００１２】
また、本発明にかかる簡易組立式プールの排水口構造のさらに他の構成上の特徴は、側面部を内側面部と外側面部とで構成し、内側面部と外側面部との間に空間部を形成するとともに、空間部に排水管を設置したことにある。これによると、排水管が邪魔になることがなく、また美観が向上する。また、この場合、排水受け部における排水管が接続される側端部を内側面部と外側面部との間に形成された空間部内まで延ばすことができる。
【００１３】
また、本発明にかかる簡易組立式プールの排水口構造のさらに他の構成上の特徴は、排水管の所定部分に排水操作を行うための開閉バルブを設け、外側面部における開閉バルブに対応する部分に開閉が可能な扉部を設けたことにある。これによると、扉部を開けて開閉バルブの操作を行えるため、開閉バルブの操作が容易になる。また、開閉バルブを操作しないときには扉部を閉じることができるため美観が向上する。
【００１４】
また、本発明にかかる簡易組立式プールの排水口構造のさらに他の構成上の特徴は、側面部における所定部分にオーバーフロー用排水口を設け、オーバーフロー用排水口と排水管とを連通させたことにある。これによると、オーバーフロー用の排水管を別途設ける必要がなくなり、設備の簡略化が図れる。また、プール本体内に入れる水の水位を一定に保つことができる。
【発明を実施するための最良の形態】
【００１５】
以下、本発明の一実施形態を図面を用いて説明する。図１ないし図３は、本発明にかかる排水口構造を備えた簡易組立式プールＹを示しており、図４は、簡易組立式プールＹが備えるプール本体１０を示している。この簡易組立式プールＹのプール本体１０は、長手方向に沿って設置される３個のユニット１１，１２，１３で構成されている。ユニット１１は、プール本体１０の一方の端部側部分を構成しており、底面部１１ａと側面部１１ｂとからなっている。底面部１１ａの端部側の２個の角部は、角を取って丸く形成されている。
【００１６】
側面部１１ｂは、底面部１１ａにおけるユニット１２との接続部を除く部分の縁部から上方に向かって設けられており、平面視が略コ字状に形成されている。また、側面部１１ｂは、プール本体１０の内壁面を構成する内側面部１１ｃと、プール本体１０の外壁面を構成する外側面部１１ｄとで構成され、内側面部１１ｃと外側面部１１ｄとの間には空間部（図４におけるユニット１２，１３を参照。）が形成されている。
【００１７】
側面部１１ｂの端部側の一方の角部（図１の右側部分）は、ユニット１１の内部側に入り込むようにして曲がって形成され、その内外の両側には、外部から簡易組立式プールＹに入るための昇り階段１４ａと、降り階段１４ｂとが側面部１１ｂを挟んで設けられている。昇り階段１４ａは、一定の幅で三段に形成され、最上段が側面部１１ｂの上面と同じ高さになっている。また、降り階段１４ｂは、昇り階段１４ａの最上段からユニット１１の内部側下方に向けて２段形成されている。
【００１８】
降り階段１４ｂの２段のうちの上方の段は、平面視で昇り階段１４ａの最上段の内部側部分を囲むように横方向に広がって設けられており、下方の段は、平面視で上方の段の内部側部分を囲むように横方向に広がって設けられている。底面部１１ａ、昇り階段１４ａおよび降り階段１４ｂの上面には、それぞれ滑り止めの凹凸面１５が形成されている。また、底面部１１ａの上面には排水の際に水の流れをよくするための格子状の溝１６ａが設けられ、降り階段１４ｂの上面には直線状の溝１６ｂが設けられている。
【００１９】
ユニット１２は、プール本体１０の中央部分を構成しており、一方の端面がユニット１１に接続され、他方の端面がユニット１３に接続される。ユニット１２は、底面部１２ａと、底面部１２ａの両側縁部に上方に向かって形成された側面部１２ｂとで構成されている。各側面部１２ｂは、それぞれプール本体１０の内側面を構成する内側面部１２ｃと、プール本体１０の外側面を構成する外側面部１２ｄとで構成され、内側面部１２ｃと外側面部１２ｄとの間には空間部が形成されている。また、底面部１２ａの上面には、滑り止めの凹凸面１５と、排水の際に水の流れをよくするための格子状の溝１６ａが設けられている。
【００２０】
ユニット１３は、プール本体１０の他方の端部側部分を構成しており、ユニット１１と略同様の構成からなっている。このユニット１３は、底面部１３ａと、底面部１３ａにおけるユニット１２との接続部を除く部分の縁部から上方に向かって形成された略コ字状の側面部１３ｂとで構成されている。側面部１３ｂは、プール本体１０の内側面を構成する内側面部１３ｃと、プール本体１０の外側面を構成する外側面部１３ｄとで構成され、内側面部１３ｃと外側面部１３ｄとの間には空間部が形成されている。また、ユニット１１における昇り階段１４ａと降り階段１４ｂとが形成された角部と対角に位置するユニット１３の角部には、昇り階段１４ａおよび降り階段１４ｂと同様の昇り階段１７ａと降り階段１７ｂとが形成されている。
【００２１】
また、底面部１３ａにおけるプール本体１０の他方の端部側の部分には端部側が下方になる降り傾斜面１３ｅが形成されている。そして、底面部１３ａ、昇り階段１７ａおよび降り階段１７ｂの上面には、それぞれ滑り止めの凹凸面１５が形成されている。また、底面部１３ａの上面には排水の際に水の流れをよくするための格子状の溝１６ａが設けられ、降り階段１７ｂの上面には直線状の溝１６ｂが設けられている。また、外側面部１３ｄにおけるプール本体１０の他端側部分の略中央には、開閉が可能な扉部１８が形成されている。
【００２２】
そして、傾斜面１３ｅの下端部における扉部１８に近い部分には、底面部１３ａを上下に貫通する排水口１９が形成されている。したがって、プール本体１０内に水が溜まった水は、排水口１９から排出することができ、水位が低くなったときには、水は傾斜面１３ｅや溝１６ａを伝わって排水口１９側に流れ、排水口１９から排水される。また、内側面部１３ｃにおける排水口１９の上方部分には、オーバーフロー用排水口１９ａが設けられている。
【００２３】
ユニット１１，１２，１３は、図５および図６に示したようにして、接続されてプール本体１０を構成している。すなわち、ユニット１１，１２，１３の底面部１１ａ，１２ａ，１３ａの接続側端面にはそれぞれ、端面の下端部から互いに向き合って、水平方向に延びたのちに上方に延びる接続部２１ａ，２１ｂが形成されている。そして、接続部２１ａ，２１ｂの垂直部を接触させた状態で、接続部２１ａ，２１ｂの所定部分をボルト２２ａとナット２２ｂとで固定している。なお、図５および図６は、説明の便宜上、ユニット１１，１２の接続部のみを示している。
【００２４】
そして、底面部１１ａ，１２ａ，１３ａの接続側端面にそれぞれ形成された溝部の上面に、断面形状がコ字状の被覆部２４を被せている。この被覆部２４は、複数個を連ねて取り付けられており、その接続部は、図７に示すように構成されている。すなわち、一方の被覆部２４の端部は、下方に向かって曲がったのちに前方に突出した突出部２４ａに形成され、他方の被覆部２４の端部は、下方に向って曲がり突出部２４ａの上面に位置決めされる下向き曲部２４ｂに形成されている。また、各底面部１１ａ，１２ａ，１３ａの端面と被覆部２４の側面との間および各接続部２１ａ，２１ｂの垂直部の間にシール用のパッキン２５を取り付けるとともに、その表面の隙間および各被覆部２４間にコーキング材２６を施して、水漏れを防止している。
【００２５】
また、底面部１３ａの下面には、図８および図９に示すように、凹部２７が形成され、この凹部２７に箱状の排水受け部３１が取り付けられている。また、図１０に示すように、底面部１３ａに設けられた排水口１９の縁部には、フランジ状部分３２ａと円筒状部分３２ｂとからなる排水口部３２が取り付けられており、排水受け部３１は、この排水口部３２を介して、凹部２７に取り付けられている。すなわち、円筒状部分３２ｂの外周面には雄ねじ３３が設けられており、排水受け部３１の上面に形成された開口部の内周面には雌ねじ３４が形成されている。この雄ねじ３３と雌ねじ３４とを互いに締め付けることにより、排水受け部３１は、フランジ状部分３２ａとで排水口１９の縁部を挟んで固定されている。
【００２６】
また、フランジ状部分３２ａと排水口１９の縁部との間および排水受け部３１の開口部の縁部と排水口１９の縁部との間には、それぞれシール用のパッキン３５ａ，３５ｂが設けられている。また、フランジ状部分３２ａの上面中央部には、凹部３２ｃが設けられ、この凹部３２ｃに目皿３６が取り付けられている。したがって、プール本体１０から排水される水は、目皿３６の穴部を通過するとともに、排水口部３２の穴部を通過して排水受け部３１内に入っていく。
【００２７】
排水受け部３１の上面における一方側部分は、端部側が上方向かって傾斜した傾斜部３１ａに形成されており、排水受け部３１の一方側の端面は幅広に形成されている。そして、その一方の端面に２個の排水管３７ａ，３７ｂが横に並んで接続されている。排水管３７ａ，３７ｂは、排水受け部３１の側面から水平方向に延びたのちに水平面上で略直角に曲がって側面部１３ｂに沿って水平方向に延びている。そして、排水管３７ａ，３７ｂの角部近傍には、それぞれ排水操作をするための開閉バルブ３８ａ，３８ｂが設けられている。
【００２８】
また、排水管３７ａにおける開閉バルブ３８ａの下流側部分には、配管（図示せず）を介してオーバーフロー用排水口１９ａと連通する接続口３９が形成されている。したがって、オーバーフロー用排水口１９ａの高さを超えてプール本体１０内に供給される水は、オーバーフロー用排水口１９ａから配管を介して排水管３７ａに流される。これによって、側面部１１ｂ，１２ｂ，１３ｂの上端部から水が溢れて外部に流れることを防止できる。また、排水管３７ａ，３７ｂは、排水溝まで延ばされて、内部を通過する水を排水溝に排水できる。このように構成された簡易組立式プールＹは、整地された地面Ｇ等に設置される。
【００２９】
この構成において、簡易組立式プールＹを使用する場合には、水道の蛇口等に接続されたホース（図示せず）を用いてプール本体１０内に水を入れる。そして、水位が適当な高さになったときに、ホースからの水の供給を停止する。この場合、水位がオーバーフロー用排水口１９ａの高さに達しても水の供給を停止しなかった場合には、余分な水は、オーバーフロー用排水口１９ａから排水管３７ａに流れ出るため、水位がオーバーフロー用排水口１９ａよりも高くなることはない。そして、プール本体１０内に適正な水位の水を入れたのちに、プール本体１０内で水泳や水遊びを行う。この際、底面部１１ａ，１２ａ，１３ａ、昇り階段１４ａ、降り階段１４ｂ、昇り階段１７ａおよび降り階段１７ｂの上面には、それぞれ滑り止めの凹凸面１５が設けられているため、滑ることがなく安全である。
【００３０】
簡易組立式プールＹの使用後には、プール本体１０内の水を排水し、清掃を行う。この場合、まず、外側面部１３ｄから扉部１８を開け、外側面部１３ｄの開口から手を延ばし開閉バルブ３８ａ，３８ｂを開ける操作を行う。これによって、プール本体１０内の水は、排水口１９に設けられた目皿３６の穴部から排水口部３２、排水受け部３１および排水管３７ａ，３７ｂを介して外部の排水溝に流れて行く。その際、排水受け部３１が排水口１９の下方に設けられているため、水位が高い間は、勢いよく排水され、水位が低くなっても勢いは衰えることなく排水される。
【００３１】
また、水位が、底面部１１ａ，１２ａ，１３ａに達すると、残った水は、溝１６ａ，１６ｂや傾斜面１３ｅを伝わって、排水口１９側に流れ、排水口１９から排水される。また、簡易組立式プールＹの清掃作業を行う場合には、プール本体１０内に多少の水が残った状態で、洗剤やモップ等を用いて清掃する。そして、ホースを介して、水道水等をプール本体１０内に流し汚れを洗い流す。この際、使用される水も短時間のうちに排水される。そして、作業が終了したのちに、開閉バルブ３８ａ，３８ｂを閉じ、扉部１８を外側面部１３ｄに取り付ける。
【００３２】
このように、本発明にかかる簡易組立式プールの排水口構造では、プール本体１０の底面に排水口１９を設けその下端部に排水受け部３１を設けているため、プール本体１０内の水位が下がっても勢いよく排水することができる。これによって、簡易組立式プールＹ内の排水を短時間で行うことができる。また、排水管３７ａ，３７ｂを内側面部１３ｃと外側面部１３ｄとの間に形成された空間部に設けているため、排水管３７ａ，３７ｂが邪魔になることがない。また、排水管３７ａ，３７ｂが露出しないため簡易組立式プールＹの美観が損なわれることもない。
【００３３】
さらに、排水管を２個の排水管３７ａ，３７ｂで構成しているため、排水管３７ａ，３７ｂの外径を大きくすることなく効果的な排水が行える。これによって、排水管を大径にして、コストが上がることを防止できる。また、底面部１３ａの下面に凹部２７を形成し、この凹部２７に排水受け部３１を取り付けているため、排水受け部３１が、底面部１３ａの下面から突出することがなくなる。これによって、簡易組立式プールＹの設置が極めて容易になる。すなわち、簡易組立式プールＹの設置には、台等が不要になり、簡易組立式プールＹを地面等に直接設置することができる。
【００３４】
また、外側面部１３ｄに開閉が可能な扉部１８を設けているため、この扉部１８を開けて外側面部１３ｄの開口部から手を入れることにより、開閉バルブ３８ａ，３８ｂの操作を容易に行える。また、開閉バルブ３８ａ，３８ｂを操作しないときには扉部１８を閉じることができるため簡易組立式プールＹの美観が向上する。
【００３５】
さらに、側面部１３ｂにオーバーフロー用排水口１９ａを設けたため、プール本体１０の水位を一定に維持できる。また、このオーバーフロー用排水口１９ａと排水管３７ａを連通させているため、オーバーフロー用の排水管を別途設ける必要がなくなり、設備の簡略化が図れる。
【００３６】
また、本発明による簡易組立式プールの排水口構造は、前述した実施形態以外についても技術的範囲内で適宜変更実施が可能である。例えば、前述した実施形態では、ユニット１２を１個だけ使用しているが、このユニット１２は複数個使用することができる。この場合、前述した接続方法を用いて複数個のユニット１２を順次接続し、その両端にユニット１１，１３を接続する。これによると、簡易組立式プールＹの大きさを使用目的に応じて任意の大きさに設定することができる。また、排水管の個数も、２個以上の複数個にすることができる。さらに、それ以外の部分の構造や部材についても同様の作用効果を奏することのできるものであれば置き換えて使用したり設計変更したりすることができる。
【図面の簡単な説明】
【００３７】
【図１】本発明の一実施形態による排水口構造を備えた簡易組立式プールを示した平面図である。
【図２】図１に示した簡易組立式プールの背面図である。
【図３】図１に示した簡易組立式プールの左側面図である。
【図４】プール本体を構成する各ユニットを分解した状態を示した分解斜視図である。
【図５】各ユニットの接続部を示した断面図である。
【図６】ユニットの接続部を上方から見た一部切欠き平面図である。
【図７】図６の７−７断面図である。
【図８】排水口構造を示した正面図である。
【図９】図８に示した排水口構造の平面図である。
【図１０】排水受け部の取り付け構造を示した断面図である。
【符号の説明】
【００３８】
１０…プール本体、１１，１２，１３…ユニット、１１ａ，１２ａ，１３ａ…底面部、１１ｂ，１２ｂ，１３ｂ…側面部、１１ｃ，１２ｃ，１３ｃ…内側面部、１１ｄ，１２ｄ，１３ｄ…外側面部、１８…扉部、１９…排水口、１９ａ…オーバーフロー用排水口、２７…凹部、３１ａ…傾斜面、３１…排水受け部、３７ａ，３７ｂ…排水管、３８ａ，３８ｂ…開閉バルブ、３９…接続口、Ｙ…簡易組立式プール。
【図１】
2005068955.tif 000003
【図２】
2005068955.tif 000004
【図３】
2005068955.tif 000005
【図４】
2005068955.tif 000006
【図５】
2005068955.tif 000007
【図６】
2005068955.tif 000008
【図７】
2005068955.tif 000009
【図８】
2005068955.tif 000010
【図９】
2005068955.tif 000011
【図１０】
2005068955.tif 000012